(57)【特許請求の範囲】
【請求項１】
光ネットワーク上に確立された経路を介して送信される光信号を光領域で別の装置へ中継することができる光クロスコネクト手段を備える光中継装置において、
前記光信号と電気信号を相互に変換する光−電気変換スイッチ手段と、
前記光−電気変換スイッチ手段によって、変換された電気信号を一時的に格納する内部バッファ手段と、
前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、
を備え、
前記制御手段は、前記光−電気変換スイッチ手段によって変換された電気信号のうち、所定の値に比して高いＱｏＳを要求するデータのみを選択して前記内部バッファ手段に送信する機能を有することを特徴とする光中継装置。
【請求項２】
光ネットワーク上に確立された経路を介して送信される光信号を光領域で別の装置へ中継することができる光クロスコネクト手段を備える光中継装置において、
前記光信号と電気信号を相互に変換する光−電気変換スイッチ手段と、
前記光−電気変換スイッチ手段によって、変換された電気信号を一時的に格納する内部バッファ手段と、
前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、
を備え、
前記制御手段は、前記内部バッファ手段に格納されたデータのうち、所定の値に比して高いＱｏＳを要求するデータのみを選択して、前記光−電気変換スイッチ手段によって電気信号を光信号に変換して前記光クロスコネクト手段に送信することを特徴とする光中継装置。
【請求項３】
光ネットワーク上に確立された経路を介して送信される光信号を光領域で別の装置へ中継することができる光クロスコネクト手段を備える光中継装置において、
前記光信号と電気信号を相互に変換する光−電気変換スイッチ手段と、
前記光−電気変換スイッチ手段によって、変換された電気信号を一時的に格納する内部バッファ手段と、
前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、
を備え、
前記光クロスコネクト手段によって中継される既に確立されている経路に優先度を設定し、
前記制御手段は、相対的に優先度の高い経路の新しい経路への切替時のみ前記内部バッファ手段へのデータ蓄積を行う機能を有することを特徴とする光中継装置。
【請求項４】
前記内部バッファ手段は、前記光−電気変換スイッチ手段から送信されたデータを、該データを格納した時刻とともに格納し、前記制御手段は、所定の期間を経過して蓄積されている前記内部バッファ手段内のデータを廃棄する機能を有することを特徴とする請求項１〜３のいずれか１つに記載の光中継装置。
【発明の詳細な説明】
【０００１】
【発明の属する技術分野】
この発明は、光クロスコネクトによる光中継装置の経路の切り替え時において、高い信頼性が要求される光ネットワークに使用する光中継装置に関するものである。
【０００２】
【従来の技術】
図３は、例えば、特開２００１−１２７７９９号公報に開示されている光ネットワークを構成する伝送装置の構成を示す図である。この伝送装置は、光ファイバと接続され主信号と制御回線とを多重／分離する高速光送受信インターフェース部１１ａ，１１ｂと、高速光送受信インターフェース部１１ａから入力された超高速信号を低速信号に分離する分離部１２と、低速信号を超高速信号に多重化する多重部１３と、低速信号を送受信し光ネットワークの外部と接続するための低速インターフェース部１４と、入力信号の情報に応じた出力先に入力信号を出力するルータ部１５と、信号の方路を設定する方路設定部１６と、低速インターフェース部１４またはルータ部１５から入力される各チャネルにタグを書きこむタグ書き込み部１７と、多重分離されるチャネルごとにタグを読み込むタグ読み込み部１８と、伝送装置全体を制御する装置コントローラ１９とを備えている。
【０００３】
また、このような構成を有する複数の伝送装置が、図２に示されるように、光クロスコネクトネットワークを構成している。この図２において、１−１〜１−５は光クロスコネクト装置を備えた伝送装置であり、２−１〜２−７は高速データ転送を行う光ファイバで構成された光リンクであり、３―１〜３―２は伝送装置１―１と伝送装置１―３の装置間でデータ転送を行うための光パスである。なお、光リンク２−１〜２−７は、物理的に二本の光ファイバで構成することによって全二重の通信を可能とし、または物理的に一本の光ファイバにおいて波長多重技術などを用いて全二重の通信を可能としている。
【０００４】
ここで、各伝送装置１−１〜１−５のルータ部１５は、入力主信号のアドレスと自身の出力ポートの番号とを対応付けたルーティングテーブルを作成／保持している。また、超高速伝送路の一部の帯域が、ルータ部１５の間でルーティングプロトコルのやりとりを可能とするための帯域として予め設定されている。さらに、各伝送装置１−１〜１−５間には制御回線が設定されている。
【０００５】
つぎに従来の光ネットワークにおいて、光リンク２−１から光リンク２−７へ中継すべきバーストトラヒックが発生した場合の各伝送装置１−１〜１−５の動作処理について説明する。
【０００６】
伝送装置１―１に、光リンク２−７へ中継すべきバーストトラヒックが発生した場合、伝送装置１―１は、予め交換している各伝送装置１−１〜１−５の構成情報と既に確立しているコネクションの状態等から、最適な経路を選択してバーストトラヒックを転送すべきコネクションを設定する。また、伝送装置１−１の装置コントローラ１９は情報をルータ部から受け取ると、帯域を確保できるか否かを問い合わせる情報と送信ルータおよび受信ルータのアドレスが含まれるコネクション設定メッセージを、図示しない制御回線を介してブロードキャストで各伝送装置１−２〜１−５に送信する。このとき、伝送装置１−１の装置コントローラ１９は、受信側伝送装置ＩＤと送信側伝送装置ＩＤとからなるタグをタグ書き込み部１７に転送し、自伝送装置１−１内における主信号（バーストトラヒック）の出力ポートの方路を設定する。
【０００７】
一方、コネクション設定メッセージは、制御回線を介して各伝送装置１−２〜１−５の順に転送される。このとき、各伝送装置１−２〜１−５の装置コントローラ１９は、受信したコネクション設定メッセージ中のアドレスから、主信号をドロップするかスルーするかを判断し、自伝送装置にそのための設定を行う。この場合には、主信号は光リンク２−７へ送信されると仮定しているので、伝送装置１−３は主信号をドロップすると判断し、他の伝送装置１−２，１−４，１−５はスルーすると判断する。そして、各伝送装置１−２〜１−５は、送信されてくる主信号をドロップまたはスルーするための設定を行い、設定終了メッセージを、制御回線を介して伝送装置１−１に返信する。
【０００８】
ドロップの設定終了メッセージを伝送装置１−３から受信した伝送装置１−１は、タグ書き込み部１７で入力信号にタグを書きこみ、その後タグ読み込み部１８によって入力主信号の送信、すなわち設定された出力ポートからの入力主信号の出力を開始する。そして、主信号は、伝送装置１−４，１−５をスルーし、伝送装置１−３でドロップされ、光リンク２−７へと出力される。
【０００９】
主信号の送信状態が続いた後に伝送装置１−１のルータ部１５が、入力信号の無信号状態を検出すると、無信号検出通知を装置コントローラ１９に送信し、装置コントローラ１９は他の伝送装置１−３〜１−５に対して、コネクション解除メッセージを送信する。コネクション解除メッセージを受信した他の伝送装置１−３〜１−５は、上記で主信号を送信するために行った設定を解除する。
【００１０】
【発明が解決しようとする課題】
しかしながら、上述した従来の技術に示されているアーキテクチャによるネットワークには、既に確立している装置間の光パスが、例えば断線などの障害発生のために、疎通しなくなった場合における対策が講じられていない。そのため、断線などの障害が発生し、既に確立されている装置間の光パスが疎通しなくなった場合には、構成情報の再交換を行った後、残りの線路によって確立可能な別経路を選択して、再度別のコネクションを確立するのみであり、代替となる光パスを検索してから該光パスが確立されるまでの時間の間に、伝送装置１−１に到着したデータが失われてしまうという問題点があった。
【００１１】
この発明は上記に鑑みてなされたもので、光ネットワーク上において、障害や手動切り替えによる光パスの変更の際に失われるトラヒックを軽減することが可能な光中継装置を得ることを目的とする。
【００１２】
【課題を解決するための手段】
上記目的を達成するため、この発明にかかる光中継装置は、光ネットワーク上に確立された経路を介して送信される光信号を光領域で別の装置へ中継することができる光クロスコネクト手段を備える光中継装置において、前記光信号と電気信号を相互に変換する光−電気変換スイッチ手段と、前記光−電気変換スイッチ手段によって、変換された電気信号を一時的に格納する内部バッファ手段と、前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、を備え、前記制御手段は、前記光−電気変換スイッチ手段によって変換された電気信号のうち、所定の値に比して高いＱｏＳを要求するデータのみを選択して前記内部バッファ手段に送信する機能を有ることを特徴とする。
【００１３】
この発明によれば、光信号と電気信号を相互に変換する光−電気変換スイッチ手段と、光−電気変換スイッチ手段によって、変換された電気信号を一時的に格納する内部バッファ手段と、経路に障害が発生した場合に、光クロスコネクト手段に入力された光信号を、光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出する制御手段とを備え、制御手段は、光−電気変換スイッチ手段によって変換された電気信号のうち、所定の値に比して高いＱｏＳを要求するデータのみを選択して内部バッファ手段に送信するようにしている。
【００１４】
つぎの発明にかかる光中継装置は、光ネットワーク上に確立された経路を介して送信される光信号を光領域で別の装置へ中継することができる光クロスコネクト手段を備える光中継装置において、前記光信号と電気信号を相互に変換する光−電気変換スイッチ手段と、前記光−電気変換スイッチ手段によって、変換された電気信号を一時的に格納する内部バッファ手段と、前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、を備え、前記制御手段は、前記内部バッファ手段に格納されたデータのうち、所定の値に比して高いＱｏＳを要求するデータのみを選択して、前記光−電気変換スイッチ手段によって電気信号を光信号に変換して前記光クロスコネクト手段に送信することを特徴とする。
【００１５】
この発明によれば、光信号と電気信号を相互に変換する光−電気変換スイッチ手段と、光−電気変換スイッチ手段によって、変換された電気信号を一時的に格納する内部バッファ手段と、経路に障害が発生した場合に、光クロスコネクト手段に入力された光信号を、光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出する制御手段とを備え、制御手段は、内部バッファ手段に格納されたデータのうち、所定の値に比して高いＱｏＳを要求するデータのみを選択して、光−電気変換スイッチ手段によって電気信号を光信号に変換して光クロスコネクト手段に送信するようにしている。
【００１６】
つぎの発明にかかる光中継装置は、光ネットワーク上に確立された経路を介して送信される光信号を光領域で別の装置へ中継することができる光クロスコネクト手段を備える光中継装置において、前記光信号と電気信号を相互に変換する光−電気変換スイッチ手段と、前記光−電気変換スイッチ手段によって、変換された電気信号を一時的に格納する内部バッファ手段と、前記経路に障害が発生した場合に、前記光クロスコネクト手段に入力された光信号を、前記光−電気変換スイッチ手段によって、電気信号に変換した後に前記内部バッファ手段に格納し、新しい経路が確立された場合に、前記内部バッファ手段に格納されたデータを前記光−電気変換スイッチ手段によって、光信号に変換した後に前記光クロスコネクト手段から前記新しい経路を構成する他の光中継装置に送出する制御手段と、を備え、前記光クロスコネクト手段によって中継される既に確立されている経路に優先度を設定し、前記制御手段は、相対的に優先度の高い経路の新しい経路への切替時のみ前記内部バッファ手段へのデータ蓄積を行う機能を有することを特徴とする。
【００１７】
この発明によれば、光信号と電気信号を相互に変換する光−電気変換スイッチ手段と、光−電気変換スイッチ手段によって、変換された電気信号を一時的に格納する内部バッファ手段と、経路に障害が発生した場合に、光クロスコネクト手段に入力された光信号を、光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出する制御手段とを備え、光クロスコネクト手段によって中継される既に確立されている経路に優先度を設定し、制御手段は、相対的に優先度の高い経路の新しい経路への切替時のみ内部バッファ手段へのデータ蓄積を行うようにしている。
【００１８】
つぎの発明にかかる光中継装置は、上記の発明において、前記内部バッファ手段は、前記光−電気変換スイッチ手段から送信されたデータを、該データを格納した時刻とともに格納し、前記制御手段は、所定の期間を経過して蓄積されている前記内部バッファ手段内のデータを廃棄する機能を有することを特徴とする。
【００１９】
この発明によれば、内部バッファ手段は、光−電気変換スイッチ手段から送信されたデータを、該データを格納した時刻とともに格納し、制御手段は、所定の期間を経過して蓄積されている内部バッファ手段内のデータを廃棄するようにしている。
【００２２】
【発明の実施の形態】
以下に、添付図面を参照して、この発明にかかる光中継装置の好適な実施の形態について詳細に説明する。
【００２３】
図１はこの発明にかかる光中継装置の構成を示すブロック図であり、図２は、該光中継装置を用いた光ネットワークの構成を示すブロック図である。
【００２４】
図１において、光中継装置１は、光クロスコネクト部４と、光−電気変換スイッチ５と、内部バッファ６と、制御部７とを含むように構成されている。ここで、光クロスコネクト部４は、隣接する他の光中継装置と光ファイバ２によって光信号を送受信するためのポート４ａ〜４ｃと、光−電気変換スイッチ５との間で信号を送受信するためのポート４ｄ，４ｅとを備えている。光−電気変換スイッチ５は、光ファイバ２から光クロスコネクト部４を介して入力される光信号を電気信号に変換して出力し、また内部バッファ６から入力される電気信号を光信号に変換して出力する機能を有する。また、光−電気変換スイッチ５は、光クロスコネクト部４との間で光信号の送受信を行うためのポート５ａ，５ｃと、内部バッファ６との間で電気信号の送受信を行うためのポート５ｂとを備えている。内部バッファ６は、何らかの原因により、確立されていた光パスが通信不能となった場合に、または手動により光パスの切替えを行う場合に、光信号から変換された電気信号によるデータを一時的に蓄える機能を有している。
【００２５】
なお、光クロスコネクト部４および光−電気変換スイッチ５に備えられている光信号用の各ポート４ａ〜４ｅ，５ａ，５ｃは光リンク２−１と同様の技術を用いて全二重の通信が可能となっている。また、光−電気変換スイッチ５に備えられている電気信号用のポート５ｂと内部バッファ６との間についても全二重の通信が可能であるものとする。
【００２６】
また、この図１に示される光中継装置１は、図２の光ネットワークシステムにおける光中継装置１−１を例示したものであり、光クロスコネクト部４のポート４ａ〜４ｃに接続されている光ファイバに付された番号２−１，２−２，２−４は、この図２にしたがったものである。なお、図２の光ネットワークシステムを構成する他の光中継装置１−２〜１−５の構成は、光ファイバ２の接続状況を除いてはどれも同一である。
【００２７】
光ネットワークシステムは、図２に示されるように、複数の光中継装置１−１〜１−５と、各光中継装置１−１〜１−５の間を結ぶ光ファイバ２−１〜２−７とから構成されている。なお、以下では、光中継装置１−１〜１−５を結ぶ光ファイバ２−１〜２−７のことを光リンク２−１〜２−７と呼ぶ。
【００２８】
つぎに、トラヒックが光リンク２−１から光リンク２−７へ中継される場合の光中継装置１の動作処理について説明する。
【００２９】
光リンク２−１から光中継装置１―１に、光リンク２−７へ中継すべきトラヒックが発生した場合、光中継装置１―１は、予め交換済みの各光中継装置１−２〜１−５の構成情報と既に確立しているコネクションの状態等から、最適な経路を選択し、トラヒックを中継するための光パス３−１、すなわち、光中継装置１−１から光中継装置１−２を経て光中継装置１−３へ至るパスのコネクションを確立する。
【００３０】
また、この時点で光中継装置１−１内の光クロスコネクト部４は、光リンク２−１とつながるポート４ａから、光リンク２−２とつながるポート４ｂへの中継路を確立する。これにより、光リンク２−１から光中継装置１−１へ入力された光信号は、光クロスコネクト部４によって、ポート４ａからポート４ｂを介して、光領域で光リンク２−２へと出力される。
【００３１】
光中継装置１−２でも同様に、光クロスコネクト部４によって、光リンク２−２からの光信号が光領域で光リンク２−３へと出力される。そして、光中継装置１−３は、光リンク２−３から入力された光信号を、光クロスコネクト部４によって、光リンク２−７へと出力する。
【００３２】
以上のようにして、通常の状態における光リンク２−１から光リンク２−７への光信号の中継は、光パス３−１を介して行われる。
【００３３】
一方、この通常の状態において、例えば、光パス３−１上の光リンク２−１が、断線などによって光の疎通が失われてしまった場合を想定する。
【００３４】
この時、光中継装置１−１は、図示しない障害検出手段によって、光パス３−１上の経路が疎通しなくなったことを感知すると、制御部７は、光リンク２−１から入力される光信号を内部バッファ６に一時的に格納するように光クロスコネクト部４、光−電気変換スイッチ５および内部バッファ６を制御する。すなわち、光クロスコネクト部４のポート４ａからポート４ｄへの中継路が確立され、この中継路によって、ポート４ａから４ｄへ中継された信号は、ポート５ａから光−電気変換スイッチ５へ伝達される。光−電気変換スイッチ５は、ポート５ａから入力された光信号を電気信号に変換してポート５ｂから出力され、電気信号は、データとして内部バッファ６へ蓄えられる。なお、上述した障害検出手段としては、公知のものを使用することができる。
【００３５】
内部バッファ６へのデータの蓄積と並行して、光中継装置１−１は、新たな光パス３−２のコネクションを確立する処理を実行する。すなわち、コネクションとして、光中継装置１−１から、光中継装置１−４，１−５を介して光中継装置１−３と結ぶ光パス３−２を選択し、コネクションを確立するように光パス３−２上の光中継装置１−４，１−５，１−３に伝える。
【００３６】
新たな光パス３−２が確立すると、光中継装置１−１の制御部７は、内部バッファ６に一時的に格納されているデータから新しい光パス３−２に送出するように、光クロスコネクト部４、光−電気変換スイッチ５および内部バッファ６を制御する。すなわち、光クロスコネクト部４は、ポート４ｅからポート４ｃへの中継路と、ポート４ａからポート４ｄへの中継路を確立し、光パス２−１からポート４ａに新たに到着したデータを、光−電気変換スイッチ５で電気信号に変換して内部バッファ６に蓄えながら、既に内部バッファ６に蓄えられたデータを古い順に光−電気変換スイッチ５へ送信する。そして、ポート５ｂから入力された電気信号のデータは、光−電気変換スイッチ５で光信号に変換された後に、ポート５ｃから出力される。そして、光クロスコネクト部４では、光信号がポート４ｅから入力され、ポート４ｃへと中継され、そして、光リンク２−３へと送信される。
【００３７】
以上のように、光中継装置１−１の内部バッファ６に蓄積されたデータを新たな光パス３−２から光中継装置１−３へと送出し、該内部バッファ６内のデータが無くなった後に、光クロスコネクト部４は、ポート４ａと４ｃとを直接に中継するように切り替える。そして、光リンク２−１から光リンク２−４へ、光クロスコネクト部４のみでの光信号の光領域での中継を開始する。
【００３８】
以上のように、最初に設定した光パス３−１が何らかの原因によって疎通しなくなった場合に、新たな光パス３−２への切替処理を実行している間に、光中継装置１−１へ到達したデータを内部バッファ６に蓄えるように構成したので、光パスの切替動作によるデータの喪失を軽減し、またはなくすことができる。また、手動により光パス３−１を光パス３−２に切替る場合も上述した説明と同様にして光中継装置１−１による処理が行われる。
【００３９】
なお、上述した実施の形態において、光中継装置１−１〜１−５に設定されている光パスに対して、必要に応じて優先度を設定することができる。そして、光パスに設定された優先度に応じて、障害発生時や手動による切替時に、相対的に優先度の高い光パスを伝送してくるデータのみを選択して、内部バッファ６に格納するようにしてもよい。このように構成することで、容量の少ない内部バッファ６でも高優先の光パスのデータの喪失を最小限にとどめることが可能となる。
【００４０】
また、上述した実施の形態において、光−電気変換スイッチ５によって電気信号に変換されたデータを内部バッファ６に蓄積する際に、該データと共に蓄積した時刻を記録するようにしてもよい。この場合には、予め指定した所定の時間以上経過して蓄積されているデータを選択して廃棄するように内部バッファ６を制御部７によって設定することによって、長時間の間、不要に光中継装置１−１〜１−５の内部バッファ６を固定したデータが占有することを防ぐことが可能となる。
【００４１】
さらに、上述した実施の形態において、光中継装置１−１〜１−５の光−電気変換スイッチ５で、入力された光信号のデータを構成するパケットについて優先度などの品質クラスを表すＱｏＳ（サービス品質、Quality of Serviceの略）を判定して、パケットに設定されたＱｏＳの高いデータのみを内部バッファ６に蓄えるように、制御部７で設定してもよい。このように構成することで、少ないメモリ容量でもＱｏＳの要求の高いデータに対して、データの喪失を最小限にとどめることが可能となる。
【００４２】
さらにまた、上述した実施の形態において、内部バッファ６に蓄積されたデータであって電気信号に変換されたデータを構成するパケットのＱｏＳを判定して、ＱｏＳの高いデータのみを、光−電気変換スイッチ５と光クロスコネクト部４を介して、光リンク２−３へ送信するように、制御部７によって制御してもよい。このように構成することで、パケットに設定されたＱｏＳの要求の高いデータに対して、切替動作発生による遅延を最小限にとどめることが可能となる。
【００４３】
【発明の効果】
以上説明したように、この発明によれば、制御手段が、経路に障害が発生した場合に、光クロスコネクト手段に入力された光信号を光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出するように構成したので、経路切替えによるデータの喪失を軽減できるという効果を有する。また、制御手段は、光−電気変換スイッチ手段によって変換された電気信号のうち、所定の値に比して高いＱｏＳを要求するデータのみを選択して内部バッファ手段に送信する機能を有するように構成したので、少ないメモリ容量の内部バッファ手段しかもたない装置構成でもＱｏＳの要求の高いデータに対するデータの喪失を最小限にとどめることができるという効果を有する。
【００４４】
つぎの発明によれば、制御手段が、経路に障害が発生した場合に、光クロスコネクト手段に入力された光信号を光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出するように構成したので、経路切替えによるデータの喪失を軽減できるという効果を有する。また、制御手段は、内部バッファ手段に格納されたデータのうち、所定の値に比して高いＱｏＳを要求するデータのみを選択して、電気信号を光信号に変換して光クロスコネクト手段に送信するように構成したので、ＱｏＳの要求の高いデータに対して、切替え動作発生による遅延を最小限にとどめることができるという効果を有する。
【００４５】
つぎの発明によれば、制御手段が、経路に障害が発生した場合に、光クロスコネクト手段に入力された光信号を光−電気変換スイッチ手段によって、電気信号に変換した後に内部バッファ手段に格納し、新しい経路が確立された場合に、内部バッファ手段に格納されたデータを光−電気変換スイッチ手段によって、光信号に変換した後に光クロスコネクト手段から新しい経路を構成する他の光中継装置に送出するように構成したので、経路切替えによるデータの喪失を軽減できるという効果を有する。また、光クロスコネクト手段によって中継される既に確立されている経路に優先度を設定し、制御手段は、相対的に優先度の高い経路の新しい経路への切替時のみ内部バッファへのデータ蓄積を行うように構成したので、少ないメモリ容量の内部バッファでも高優先の光パスのデータの喪失を最小限にとどめることができるという効果を有する。
【００４６】
つぎの発明によれば、内部バッファ手段は、光−電気変換スイッチ手段から送信されたデータを、該データを格納した時刻とともに格納し、制御手段は、所定の期間を経過したデータを廃棄するように構成したので、時間経過によって意味を失ったデータによる帯域の消費を防止することができるという効果を有する。
【図面の簡単な説明】
【図１】  この発明にかかる光中継装置の構成を示すブロック図である。
【図２】  複数の光中継装置を含む光ネットワークの構成を示すブロック図である。
【図３】  伝送装置の従来例を示す図である。
【符号の説明】
１−１〜１−５  光中継装置、２−１〜２−７  光リンク（光ファイバ）、３−１，３−２  光パス、４  光クロスコネクト部、４ａ〜４ｅ  光クロスコネクト部の各ポート、５  光−電気変換スイッチ、５ａ，５ｃ  光−電気変換スイッチの光ポート、５ｂ  光−電気変換スイッチの電気ポート、６  内部バッファ、７  制御部。
【図１】
0003893308.tif 000002
【図２】
0003893308.tif 000003
【図３】
0003893308.tif 000004